(57)【要約】【課題】電源投入後から使用可能となるまでの間に出力する情報を、より柔軟に決定することができる車両用情報出力装置、車両用情報出力システムを提供すること。【解決手段】車両内に情報を出力する出力部（１１０）と、電源がオン状態となった場合に起動処理を実行する起動部（１０４）と、ネットワークを介して外部装置と通信する通信部（１２０）と、通信部を介して外部装置に記憶された出力情報を取得する通信制御部（１３４）と、起動部による起動処理が完了する前に、通信制御部により取得された出力情報を出力部に出力させる出力制御部（１３６）と、を備える、車両用情報出力装置（１００）である。【選択図】図１
2019184371.tif 000002
【特許請求の範囲】
【請求項１】
車両内に情報を出力する出力部と、
電源がオン状態となった場合に起動処理を実行する起動部と、
ネットワークを介して外部装置と通信する通信部と、
前記通信部を介して前記外部装置に記憶された出力情報を取得する通信制御部と、
前記起動部による起動処理が完了する前に、前記通信制御部により取得された前記出力情報を前記出力部に出力させる出力制御部と、を備える、
車両用情報出力装置。
【請求項２】
前記起動部により実行された前記起動処理が完了した後にユーザによる操作を受け付け可能な状態となる、
請求項１に記載の車両用情報出力装置。
【請求項３】
種別に応じて前記出力情報を選択する選択部を更に有し、
前記出力制御部は、前記選択部により選択された前記出力情報に基づく画像を前記出力部に出力させる、
請求項１または２に記載の車両用情報出力装置。
【請求項４】
前記出力情報は、ユーザによりサーバに送信される際に前記出力情報の種別に応じて優先度が設定され、
前記選択部は、前記優先度に基づいて前記出力情報を選択する、
請求項３に記載の車両用情報出力装置。
【請求項５】
前記選択部は、ユーザの操作によりサーバに送信された前記出力情報を優先的に選択する、
請求項３に記載の車両用情報出力装置。
【請求項６】
前記選択部は、ユーザの操作によりサーバに送信された前記出力情報の送信順が新しい順に前記出力情報を優先的に選択する、
請求項３に記載の車両用情報出力装置。
【請求項７】
前記選択部は、前記出力情報がユーザの予定である場合には、時系列の順に前記予定を優先的に選択する、
請求項３に記載の車両用情報出力装置。
【請求項８】
前記車両の目的地が設定されている場合、
前記選択部は、ユーザの移動中の予定および前記目的地に到着後の予定を優先的に選択する、
請求項３に記載の車両用情報出力装置。
【請求項９】
車両に搭載された車両用情報表示装置と、前記車両と通信可能なサーバとを備える車両用情報表示システムであって、
前記車両用情報表示装置は、
前記車両内に情報を出力する出力部と、
電源がオン状態となった場合に起動処理を実行する起動部と、
ネットワークを介して前記サーバと通信する通信部と、
前記通信部を介して前記サーバに記憶された出力情報を取得する通信制御部と、
前記起動部による起動処理が完了する前に、前記通信制御部により取得された前記出力情報を前記出力部に出力させる出力制御部と、を備える、
車両用情報表示システム。
【発明の詳細な説明】
【技術分野】
【０００１】
本発明は、車両用情報出力装置、車両用情報出力システムに関する。
【背景技術】
【０００２】
車両に搭載されるナビゲーション装置等の車載装置では、電源が入れられた後、使用可能な状態となるまでの間に、装置を起動するための起動処理が行われる。この種の車載装置は、起動処理の間は操作を受け付けないことが多く、ユーザは、起動処理の間待機することになる。これに関連して、車載装置の起動処理中に表示画面に所定の画像を表示させる技術が知られている（例えば、特許文献１および特許文献２参照）。
【先行技術文献】
【特許文献】
【０００３】
【特許文献１】特開２００４−１４５１２０号公報
【特許文献２】特開２００６−２８４３１４号公報
【発明の概要】
【発明が解決しようとする課題】
【０００４】
しかしながら、従来の技術では、車載端末の電源投入後から使用開始までの起動処理が実行される間において毎回異なる起動画像を表示するものとしているが、その表示内容は、ユーザの嗜好性を反映しているものではなかった。
【０００５】
本発明は、このような事情を考慮してなされたものであり、電源投入後から使用可能となるまでの間に出力する情報を、より柔軟に決定することができる車両用情報出力装置、車両用情報出力システムを提供することを目的の一つとする。
【課題を解決するための手段】
【０００６】
（１）：車両内に情報を出力する出力部と、電源がオン状態となった場合に起動処理を実行する起動部と、ネットワークを介して外部装置と通信する通信部と、前記通信部を介して前記外部装置に記憶された出力情報を取得する通信制御部と、前記起動部による起動処理が完了する前に、前記通信制御部により取得された前記出力情報を前記出力部に出力させる出力制御部と、を備える、車両用情報出力装置である。
【０００７】
（２）：（１）において、前記起動部により実行された前記起動処理が完了した後にユーザによる操作を受け付け可能な状態となるものである。
【０００８】
（３）：（１）または（２）において、種別に応じて前記出力情報を選択する選択部を更に有し、前記出力制御部は、前記選択部により選択された前記出力情報に基づく画像を前記出力部に出力させるものである。
【０００９】
（４）：（３）において、前記出力情報は、ユーザによりサーバに送信される際に前記出力情報の種別に応じて優先度が設定され、前記選択部は、前記優先度に基づいて前記出力情報を選択するものである。
【００１０】
（５）：（３）において、前記選択部は、ユーザの操作によりサーバに送信された前記出力情報を優先的に選択するものである。
【００１１】
（６）：（３）において、前記選択部は、ユーザの操作によりサーバに送信された前記出力情報の送信順が新しい順に前記出力情報を優先的に選択するものである。
【００１２】
（７）：（３）において、前記選択部は、前記出力情報がユーザの予定である場合には、時系列の順に前記予定を優先的に選択するものである。
【００１３】
（８）：（３）において、前記車両の目的地が設定されている場合、前記選択部は、ユーザの移動中の予定および前記目的地に到着後の予定を優先的に選択するものである。
【００１４】
（９）：車両に搭載された車両用情報表示装置と、前記車両と通信可能なサーバとを備える車両用情報表示システムであって、前記車両用情報表示装置は、前記車両内に情報を出力する出力部と、電源がオン状態となった場合に起動処理を実行する起動部と、ネットワークを介して前記サーバと通信する通信部と、前記通信部を介して前記サーバに記憶された出力情報を取得する通信制御部と、前記起動部による起動処理が完了する前に、前記通信制御部により取得された前記出力情報を前記出力部に出力させる出力制御部と、を備える、車両用情報表示システムである。
【発明の効果】
【００１５】
（１）〜（９）によれば、電源投入後から使用可能となるまでの間に出力する情報を、より柔軟に決定することができる。
【００１６】
（３）によれば、電源投入後から使用可能となるまでの間に様々な種別の情報を出力させることができる。
【００１７】
（４）〜（６）によれば、ユーザの嗜好に合わせた情報を出力させることができる。
【００１８】
（７）、（８）によれば、電源投入後から使用可能となるまでの間にユーザの予定を表示させることで、ユーザの利便性を向上させることができる。
【図面の簡単な説明】
【００１９】
【図１】車両用情報出力装置１００が適用される車両用情報出力システム１の構成の一例を示すブロック図である。
【図２】出力部１１０に表示される表示画像ＩＭ１の表示内容の一例を示す図である。
【図３】出力部１１０に表示される表示画像ＩＭ２の表示内容の一例を示す図である。
【図４】出力情報の設定を行う端末装置３００の設定画面Ｑ１の内容の一例を示す図である。
【図５】設定情報Ｋの内容の一例を示す図である。
【図６】出力部１１０に表示される表示画像ＩＭ３の表示内容の一例を示す図である。
【図７】車両用情報出力システム１において実行される処理の流れの一例を示すフローチャートである。
【図８】車両用情報出力装置１００のハードウェア構成の一例を示す図である。
【発明を実施するための形態】
【００２０】
［第１実施形態］
以下、図面を参照し、第１実施形態の車両用情報出力装置、車両用情報出力システムの実施形態について説明する。
【００２１】
図１は、車両用情報出力装置１００が適用される車両用情報出力システム１の構成の一例を示すブロック図である。車両用情報出力システム１は、車両１０に搭載された車両用情報出力装置１００と、車両用情報出力装置１００とネットワークＮＷを介して接続されたサーバ２００とを備える。サーバ２００には、ユーザの端末装置３００がネットワークＮＷを介して接続してもよい。車両用情報出力装置１００は、車両１０の内部においてユーザの操作を受け付けることによって情報を表示する装置である。車両用情報出力装置１００は、ナビゲーション装置に包含される仮想的な装置であってもよい。
【００２２】
ネットワークＮＷは、例えば、ＷＡＮ（Wide Area Network）やＬＡＮ（Local Area Network）、インターネット、専用回線、無線基地局、プロバイダなどのうちの一部または全部を含む。
【００２３】
車両用情報出力装置１００は、例えば、起動部１０４と、選択部１０８と、出力部１１０と、通信部１２０と、制御部１３０と、記憶部１５０とを備える。起動部１０４、選択部１０８、制御部１３０の各構成要素は、例えば、ＣＰＵ（Central Processing Unit）などのプロセッサがプログラム（ソフトウェア）を実行することで実現される。また、この機能部は、ＬＳＩ（Large Scale Integration）やＡＳＩＣ（Application Specific Integrated Circuit）、ＦＰＧＡ（Field-Programmable Gate Array）などのハードウェアによって実現されてもよいし、ソフトウェアとハードウェアの協働によって実現されてもよい。
【００２４】
起動部１０４は、電源がオフ状態からオン状態に変更された場合、車両用情報出力装置１００の起動処理を行う（起動シーケンスを実行する）。起動処理とは、電源がオン状態となってから周辺機器の認識やメモリのパラメータの初期化を行う等の、車両用情報出力装置１００のＯＳ（operation system）を含むシステムソフトウェアが起動するまでに実行される処理である。起動処理が終了すると、車両用情報出力装置１００は、ユーザの操作を受け付ける状態になる。ユーザの操作には、ユーザにより車両用情報出力装置１００に対して手動で何らかの入力操作が行われるものの他、音声により入力操作が行われるものであってもよい。
【００２５】
選択部１０８は、ユーザの操作により送信された設定情報に基づいて、起動処理中にユーザの嗜好に即した情報を出力部１１０に出力させるための出力情報を選択する。
【００２６】
出力部１１０は、車内に設けられたディスプレイ、スピーカ等を含み、映像、画像、テキスト、音声等により情報伝達を行う装置である。出力部１１０は、例えば、スピーカが内蔵されたタッチパネル式の液晶ディスプレイであり、車両用情報出力装置１００と連動して動作し、乗員の操作を受け付けると共に、情報を表示する。ナビゲーション装置のディスプレイが出力部１１０として兼用されてもよい。
【００２７】
制御部１３０は、例えば、電力制御部１３２と、通信制御部１３４と、出力制御部１３６とを備える。電力制御部１３２は、例えば、車両用情報出力装置１００の電源のオン／オフ、すなわち車両用情報出力装置１００の全体に対する電力供給を制御する。
【００２８】
通信制御部１３４は、例えば、車外の外部装置との通信を制御する。外部装置とは、例えば、ネットワークＮＷに接続されたサーバ２００、端末装置３００等である。通信制御部１３４は、車両１０に設けられた通信部１２０を介してネットワークＮＷにアクセスし、サーバ２００と通信する。
【００２９】
出力制御部１３６は、選択部１０８の選択結果に基づいて、サーバ２００に記憶された出力情報を取得する。出力情報の内容については後述する。出力制御部１３６は、出力部１１０に出力情報を出力させる。
【００３０】
記憶部１５０は、ＨＤＤ（Hard Disk Drive）やフラッシュメモリなどの記憶装置により実現される。記憶部１５０は、出力情報の他、ユーザを識別する識別情報、ユーザが設定した後述する出力情報の優先度等の情報を記憶する。
【００３１】
通信部１２０は、セルラー網やＷｉ−Ｆｉ（登録商標）網、Ｂｌｕｅｔｏｏｔｈ（登録商標）、ＤＳＲＣ（Dedicated Short Range Communication）などを利用して、車両１０の車外の外部装置と通信し、或いは無線基地局を介して各種サーバ装置と通信する。通信部１２０は、車両用情報出力装置１００に設けられていてもよいし、車両用情報出力装置１００以外に設けられていてもよい。
【００３２】
サーバ２００は、ネットワークＮＷに接続し、車両用情報出力装置１００に情報を提供する。サーバ２００は、例えば、通信制御部２０２と、通信部２０４と、記憶部２０６とを備える。
【００３３】
通信制御部２０２は、ネットワークＮＷを介して行われる車両用情報出力装置１００との通信を制御する。通信部２０４は、通信制御部２０２により制御され、記憶部２０６に記憶された情報を車両用情報出力装置１００に送信する。通信部２０４は、ケーブルが接続されることで有線通信を行う。通信部２０４は、ネットワークＮＷに接続するためのＮＩＣ（Network Interface Card）を含む。
【００３４】
記憶部２０６は、ＨＤＤやフラッシュメモリなどの記憶装置である。記憶部２０６には、出力部１１０に表示させる出力情報と、出力情報を出力部１１０に表示させるための設定情報（図３参照）が記憶される。設定情報の内容については後述する。出力情報は、ユーザにより端末装置３００からアップロードされるデータと、予め記憶されているデータを含んでよい。
【００３５】
端末装置３００は、スマートフォンなどの携帯電話、タブレット端末、パーソナルコンピュータ等の通信機能を有する情報端末装置である。端末装置３００は、ネットワークＮＷを介してサーバ２００と通信する。
【００３６】
［車両用情報表示システムの動作］
次に、車両用情報出力システム１の動作について説明する。ユーザは、例えば、車両１０に搭乗する前に端末装置３００を操作して、起動処理時に出力部１１０に出力させようとする出力情報をサーバ２００にアップロードする。サーバ２００は、端末装置３００を個別に識別し、ユーザを特定し、アップロードされた出力情報をユーザ毎に記憶部２０６に記憶する。
【００３７】
サーバ２００にアップロードされる出力情報とは、出力部１１０に出力される情報であり、画像、映像、テキスト、音声などのデータを含む。出力情報は、設定された目的地や経由地の情報、周辺施設の情報、等の種別に分類される。出力部１１０には、例えば、ユーザが設定した出力情報が表示される。
【００３８】
図２は、出力部１１０に表示される表示画像ＩＭ１の表示内容の一例を示す図である。図２の例では、テキストのデータが出力部１１０に出力されている。ユーザは、例えば、表示画像ＩＭ１に埋め込む任意のテキストデータを事前に設定し、車両用情報出力装置１００の起動処理中にテキストデータに基づく情報を出力部１１０に出力させる。
【００３９】
図３は、出力部１１０に表示される表示画像ＩＭ２の表示内容の一例を示す図である。図３の例では、画像のデータが出力部１１０に出力されている。ユーザは、例えば、表示画像ＩＭ１に埋め込む任意の画像データを事前に設定し、車両用情報出力装置１００の起動処理中にテキストデータに基づく情報を出力部１１０に出力させる。
【００４０】
画像の出力情報は、例えば、ビットマップ画像やベクタ画像等の画像データである。ユーザの操作により端末装置３００から画像データがサーバ２００に送信されると、サーバ２００は、記憶部２０６に画像データを保存する。この時、サーバ２００は、後述の設定情報Ｋに基づいて、出力部１１０の表示画面におけるサイズに適合させるように画像データをトリミングしたり、解像度を調整したりしてもよい。画像の出力情報は、出力部１１０に表示される表示画像の中に表示される複数個の画像であってもよいし、表示画像の壁紙として表示される画像であってもよい。
【００４１】
映像の出力情報は、例えば、所定の規格に基づいてエンコードされた動画データである。ユーザの操作により端末装置３００から動画データがサーバ２００に送信されると、サーバ２００は、記憶部２０６に映像データを保存する。この時、サーバ２００は、設定情報Ｋに基づいて、出力部１１０の表示画面におけるサイズに適合させるように映像データをトリミングしたり、ビットレートを調整したりしてもよい。
【００４２】
テキストの出力情報は、例えば、文字など文字コードによって表されるデータ、改行、タブなどの制御情報が含まれるテキストデータである。テキストデータは、例えば、任意のメッセージ、メールの受信報知等のメッセージである。テキストデータは、例えば、ユーザにより生成されてもよいし、出力制御部１３６により簡易なメッセージ（短文）が生成されてもよい。テキストデータは、ネットワークから取得された、目的地までのルート上の交通情報や、ニュースであってもよい。
【００４３】
ユーザの操作により端末装置３００からテキストデータがサーバ２００に送信されると、サーバ２００は、記憶部２０６にテキストデータを保存する。この時、サーバ２００は、設定情報Ｋに基づいて、出力部１１０の表示画面におけるサイズに適合させるように改行等の制御コードを変更したり、フォントサイズを設定したり、文字数を制限したりしてもよい。
【００４４】
音声の出力情報は、例えば、所定の規格に基づいて音声の波形が量子化データに変換された音声データである。音声の出力情報は、例えば、音楽、効果音、読み上げ音である。ユーザの操作により端末装置３００から音声データがサーバ２００に送信されると、サーバ２００は、記憶部２０６に音声データを保存する。この時、サーバ２００は、出力部１１０のスピーカの性能に合わせて音声データの形式を変換したり、音声圧縮を行ったりしてもよい。音声の出力情報は、音声のみで出力部１１０から出力されてもよいし、画像、映像、及びテキストの出力情報と組み合わされて出力部１１０から出力されてもよい。
【００４５】
図４は、出力情報の設定を行う端末装置３００の設定画面Ｑ１の内容の一例を示す図である。設定画面Ｑ１には、例えば、出力部１１０に表示される起動時の画面の設定項目がボタンの画像で示されている。ユーザは、出力情報をサーバ２００にアップロードするタイミングで、設定画面Ｑ１を操作して、出力部１１０に表示させる出力情報の設定を行う。出力情報の設定は、出力情報をサーバ２００にアップロードするタイミングの他、ユーザが設定画面Ｑ１を任意のタイミングで操作することにより更新されてもよい。
【００４６】
ユーザは例えば、設定画面Ｑ１において「表示数」の操作ボタンを操作し、出力部１１０に表示させる出力情報の数を設定する。ユーザは例えば、設定画面Ｑ１において「優先種別」の操作ボタンを操作し、出力情報のうち画像、映像、テキストなどのデータの種別に応じて優先度を設定する。
【００４７】
優先度は、例えば、予め段階的に設定されたレベルをユーザが選択する。優先度は、ユーザが設定した時点のレベルにより更新される。例えば、優先度は、ユーザが現時点で最も高いレベルで設定したデータが最も高くなり、過去に設定された優先度のレベルは最新の設定に対して順次繰り下げられる。
【００４８】
例えば、ユーザがテキストデータを優先させたい場合、テキストデータの優先度を画像などの他の種別の出力情報よりも高く設定する。ユーザは例えば、設定画面Ｑ１において「優先種別」ボタンを操作しテキストデータを優先して表示させるよう設定する。
【００４９】
優先度は、データの種別の中からより詳細に、個別の出力情報に対して設定されてもよい。ユーザは例えば、設定画面Ｑ１において「個別表示順」の操作ボタンを操作し、個別に表示させたいデータを選択する。この操作により、ユーザがデータの表示順を設定すると、順番の高いものから高い優先度が割り当てられ、過去に設定された優先度レベルは最新の設定に対して順次繰り下げられる。
【００５０】
また、ユーザは、例えば、「表示予定日」の操作ボタンを操作し、出力情報を表示させる日付を設定する。例えば、ユーザが車両１０に搭乗する前に端末装置３００に表示された設定画面Ｑ１を操作し、出力情報を表示させる日付を入力する。これにより、ユーザが指定する特定の日付において、ユーザは、所定の出力情報を取得することができる。但し、「表示予定日」の操作ボタンは、出力情報が一つしか選択できない場合、省略されてもよい。
【００５１】
端末装置３００は、ユーザにより設定された内容を設定情報Ｋとしてサーバ２００に送信する。上記の設定は、端末装置３００で行われる他に、車両用情報出力装置１００において行われてもよい。
【００５２】
図５は、設定情報Ｋの内容の一例を示す図である。設定情報Ｋは、出力情報のファイル名、出力情報の種別、設定された優先度、設定された個別表示順、表示予定日、データの更新日時、および出力部１１０に表示される表示数等が対応付けられた情報である。これらの設定内容は、設定情報としてサーバ２００に送信され、記憶部２０６に記憶される。
【００５３】
ユーザは、例えば、車両１０に搭乗する前に、端末装置３００を操作して、車両用情報出力装置１００の起動処理時において出力部１１０に表示させる出力情報を選択する操作を行う。端末装置３００は、ユーザの操作に基づいてサーバ２００に設定情報Ｋを送信する。
【００５４】
ユーザが車両１０に搭乗し、車両１０の電源をオン状態にするのに連動して、電力制御部１３２は、車両用情報出力装置１００をオン状態にする。起動部１０４は、車両用情報出力装置１００の起動処理を開始する。通信制御部１３４は、起動部１０４の起動処理の開始に連動して通信部１２０を介してサーバ２００にアクセスする。
【００５５】
車両用情報出力装置１００とサーバ２００との間の通信が確立されると、選択部１０８は、サーバ２００から設定情報Ｋを読み出す。選択部１０８は、設定情報Ｋを参照し、優先度の高い順に出力部１１０に表示される表示数の個数分の出力情報を選択する。
【００５６】
選択部１０８は、出力情報に優先度が設定さていない場合、例えば、サーバ２００にアップロードされた出力情報の送信順が新しい順に順位を高くして出力情報を優先的に選択する。選択部１０８は、設定情報Ｋの更新日時のデータを参照し、更新日時が新しい順に出力情報を優先的に選択する。
【００５７】
出力制御部１３６は、選択部１０８の出力情報の選択結果に基づいて、選択された出力情報をサーバ２００から読み出し、表示順に従って出力部１１０に表示する。
【００５８】
出力制御部１３６は、例えば、出力情報の種別においてテキストに優先度が高く設定されている場合、選択部１０８の選択結果に基づいて、設定情報Ｋを参照し、表示画像ＩＭ１に表示させる情報の表示数及び表示順を決定する。
【００５９】
出力制御部１３６は、例えば、目的地までのルート、ユーザが入力した情報、ユーザの嗜好に基づいた情報の順にユーザにより個別表示順が設定されている場合、設定された順に従ってテキストデータを出力部１１０に出力させる。
【００６０】
出力制御部１３６は、例えば、テキストデータを読み出し、テキストデータの内容からキーワードを抽出し、簡易な短文を生成する。出力制御部１３６は、例えば、予め設定された定型文に抽出したキーワードを当てはめて短文を生成する。出力制御部１３６は、例えば、受信メールの報知やユーザが設定したルートの報知を目的とした出力情報を出力する場合、目的地、経由地、時間等のキーワードを抽出し、所定の短文を生成する。
【００６１】
図２の例では、出力制御部１３６は、例えば、目的地までのルートが設定されている旨の情報（Ａ）を１番目に表示すると決定する。出力制御部１３６は、目的地が設定されている旨の短文を生成する。
【００６２】
次に、出力制御部１３６は、ユーザが入力した情報（Ｂ）を２番目に表示すると決定する。出力制御部１３６は、ネットワークＮＷを介してサーバ２００にアクセスし、ユーザが入力した情報を取得し、ユーザの入力データに基づいて短文を生成する。
【００６３】
次に、出力制御部１３６は、ユーザの嗜好に基づいた情報（Ｃ）を３番目に表示すると決定する。出力制御部１３６は、ネットワークＮＷを介してユーザの嗜好に対応する情報を収集し、情報を提供する短文を生成する。出力制御部１３６は、生成された短文に基づいて、テキストメッセージの情報を表示する表示画像ＩＭ１を生成する。出力制御部１３６は、生成した短文が記載された表示画像ＩＭ１を生成し、出力部１１０に表示させる。
【００６４】
図３の例では、出力制御部１３６は、画像に優先度が高く設定されている場合、選択部１０８の選択結果および設定情報Ｋを参照し、表示画像ＩＭ２を生成する。出力制御部１３６は、選択された画像をサーバ２００から読み出し、表示順に従って表示数分の画像が埋め込まれた表示画像ＩＭ２を生成し、出力部１１０に表示させる。
【００６５】
表示画像ＩＭ２に表示される画像は、サーバ２００側で表示画像ＩＭ２のサイズに適合するように設定情報Ｋに基づいて予めトリミングされていてもよいし、出力制御部１３６がトリミングしてもよい。
【００６６】
出力制御部１３６は、映像に優先度が高く設定されている場合、選択部１０８の選択結果および設定情報Ｋを参照し、映像の表示部分が埋め込まれた表示画像を生成し、出力部１１０に表示させる。
【００６７】
出力制御部１３６は、音声に優先度が高く設定されている場合、選択部１０８の選択結果および設定情報Ｋを参照し、音声を順次、出力部１１０に出力させる。
【００６８】
出力制御部１３６は、テキスト、画像、映像のデータの種別の中から個別に表示順が設定されていることにより、それぞれの種別のデータを組み合わせた表示画像を生成し、出力部１１０に出力させてもよい。このとき、出力制御部１３６は、音声のデータを適宜組み合わせて出力部１１０に含まれるスピーカから出力させてもよい。
【００６９】
車両用情報出力装置１００において、起動部１０４により実行された起動処理が完了し、ユーザによる操作を受け付け可能な状態となった場合、出力制御部１３６は、出力部１１０における表示制御を終了する。
【００７０】
上述した第１実施形態によれば、車両用情報出力システム１は、電源投入後から使用可能となるまでの間に出力する情報を、より柔軟に決定することができる。車両用情報出力システム１は、起動処理が実行される間の時間にユーザの求める情報を提供することができる。
【００７１】
［第２実施形態］
第１実施形態では、ユーザが選択した出力情報を車両用情報出力装置１００の出力部１１０に表示させるものであった。第２実施形態では、ユーザのスケジュール等の予定に関する情報を出力部１１０に出力させる。ユーザは、車両用情報出力装置１００の起動処理が行われている間に当日の予定を確認することができる。
【００７２】
図６は、出力部１１０に表示される表示画像ＩＭ３の表示内容の一例を示す図である。ユーザは、車両１０に搭乗する前に端末装置３００の設定画面Ｑ１を操作して、ユーザのスケジュールに関する出力情報を出力部１１０に表示させる選択する操作を行う。ユーザは、例えば、設定画面Ｑ１において、優先種別のボタンを操作し、出力情報におけるユーザのスケジュールの優先度を高く設定する。
【００７３】
端末装置３００においてユーザの予定が管理されている場合、端末装置３００がユーザのスケジュールデータをスケジュール管理サーバにアップロードする。スケジュール管理サーバは、ユーザのスケジュールを管理するサーバであり、サーバ２００にこの機能が備えられていてもよい。スケジュールデータは、例えば、カレンダの標準フォーマットのデータ形式で生成されたデータであり、タイトル、日時、イベント等が対応付けられた情報である。
【００７４】
ユーザは、例えば、端末装置３００を操作してサーバ２００の記憶部２０６に記憶されているユーザのスケジュールデータを端末装置３００において管理されているユーザのスケジュールデータに同期させる。端末装置３００は、所定のタイミングで自動的にユーザのスケジュールデータをサーバ２００にアップロードしてもよい。
【００７５】
選択部１０８は、例えば、サーバ２００の記憶部２０６からユーザのスケジュールデータに含まれるユーザの予定を読み出す。選択部１０８は、時系列の順に予定を優先的に選択する。選択部１０８は、例えば、車両１０が走行する当日の時系列的に早い予定を優先的に選択する。
【００７６】
選択部１０８は、ユーザの移動中の予定および目的地に到着後の予定を優先的に選択してもよい。ユーザの予定が細かく入力されており、時系列的に表示すると目的地までの予定が出力部１１０に出力されない場合、選択部１０８は、選択したスケジュールデータの中から目的地の予定、経由地の予定、目的地に到着後の予定等を抽出する。
【００７７】
選択部１０８は、例えば、ユーザのスケジュールに個別表示順が設定されている場合、設定された順に従ってテキストデータを選択する。出力制御部１３６は、選択部１０８の選択結果に基づいて、設定された順に従ってテキストデータを出力部１１０に出力させる。
【００７８】
図６の例では、出力制御部１３６は、例えば、ユーザの目的地に関する情報を（Ｅ）を１番目に表示すると決定する。次に、出力制御部１３６は、ユーザの移動中の予定に関する情報（Ｆ）を２番目に表示すると決定する。次に、出力制御部１３６は、ユーザの目的地に到着後の予定に関する情報（Ｇ）を３番目に表示すると決定する。出力制御部１３６は、スケジュールを管理するサーバ等にアクセスし、ユーザのスケジュールデータに基づいて、ユーザの予定に関する短文を生成する。出力制御部１３６は、生成した短文に基づいて表示画像ＩＭ３を生成し、出力部１１０に表示させる。
【００７９】
上述した第２実施形態によれば、車両用情報出力システム１は、車両用情報出力装置１００の起動処理時において出力部１１０にユーザの予定を出力することができる。これにより、ユーザは起動処理が終了するまでの時間を有効に活用することができる。
【００８０】
［処理フロー］
次に、車両用情報出力システム１において実行される処理について説明する。図７は、車両用情報出力システム１において実行される処理の流れの一例を示すフローチャートである。
【００８１】
ユーザは、出力部１１０に出力させる出力情報を端末装置３００からサーバ２００にアップロードする（ステップＳ１００）。ユーザは、車両１０に搭乗する予定がある場合、端末装置３００を操作して、車両用情報出力装置１００の起動処理時に出力部１１０に表示させる出力情報の内容を設定する（ステップＳ１０２）。サーバ２００には、出力情報を出力部１１０に表示させるための設定情報が記憶される。
【００８２】
起動部１０４は、電力制御部１３２により電源がオン状態となったか否かを監視する（ステップＳ１０４）。ステップＳ１０４で否定的な判定を得た場合、起動部１０４は、ステップＳ１０４の処理を繰り返す。ステップＳ１０４で肯定的な判定を得た場合、起動部１０４は、起動処理を開始する（ステップＳ１０６）。通信制御部１３４は、サーバ２００にアクセスし、設定情報を取得する（ステップＳ１０８）。
【００８３】
選択部１０８は、設定情報を参照し、出力情報に優先度が設定されているか否かを判定する（ステップＳ１１０）。ステップＳ１１０で肯定的な判定を得た場合、選択部１０８は、出力情報が出力される順番が設定されているか否かを判定する（ステップＳ１１２）。ステップＳ１１２で肯定的な判定を得た場合、選択部１０８は、設定された出力情報が出力される順番に従って出力情報を選択する（ステップＳ１１４）。ステップＳ１１２で否定的な判定を得た場合、選択部１０８は、出力情報の内容がユーザの予定であるか否かを判定する（ステップＳ１１６）。
【００８４】
ステップＳ１１６で肯定的な判定を得た場合、選択部１０８は、ユーザの予定の順に出力情報を選択する（ステップＳ１１８）。ステップＳ１１６で否定的な判定を得た場合、選択部１０８は、優先度に基づいて出力情報を選択する（ステップＳ１２０）。ステップＳ１１０で否定的な判定を得た場合、選択部１０８は、サーバ２００に送信された出力情報の送信順が新しい順に出力情報を選択する（ステップＳ１２２）。次に、出力制御部１３６は、選択部１０８の選択結果に基づいてサーバ２００から出力情報を取得し、取得した出力情報に基づいて所定の出力形式の情報を生成し、出力部１１０に出力させる（ステップＳ１２４）。
【００８５】
出力制御部１３６は、起動処理が終了したか否かを判定する（ステップＳ１２６）。ステップＳ１２６で否定的な判定を得た場合、出力制御部１３６は、ステップＳ１２６の処理を繰り返す。ステップＳ１２６で肯定的な判定を得た場合、フローチャートの処理が終了する。上記の各ステップは、適宜入れ替えられてもよいし、適宜省略されてもよい。
【００８６】
［ハードウェア構成］
図８は、車両用情報出力装置１００のハードウェア構成の一例を示す図である。図示するように、実施形態の車両用情報出力システム１に適用される車両用情報出力装置１００は、通信コントローラ１００−１、ＣＰＵ１００−２、ワーキングメモリとして使用されるＲＡＭ（Random Access Memory）１００−３、ブートプログラムなどを格納するＲＯＭ（Read Only Memory）１００−４、フラッシュメモリやＨＤＤ（Hard Disk Drive）などの記憶装置１００−５、ドライブ装置１００−６などが、内部バスあるいは専用通信線によって相互に接続された構成となっている。通信コントローラ１００−１は、車両用情報出力装置１００以外の構成要素との間の通信を行う。記憶装置１００−５には、ＣＰＵ１００−２が実行するプログラム１００−５ａが格納されている。このプログラムは、ＤＭＡ（Direct Memory Access）コントローラ（不図示）などによってＲＡＭ１００−３に展開されて、ＣＰＵ１００−２によって実行される。これによって、判定部、表示制御部、通信制御部、および通信部のうち一部または全部が実現される。
【００８７】
上記説明した実施形態は、以下のように表現することができる。
プログラムを記憶した記憶装置と、
ハードウェアプロセッサと、を備え、
前記ハードウェアプロセッサは、前記記憶装置に記憶されたプログラムを実行することにより、
車両内に情報を出力部により出力し、
電源がオン状態となった場合に起動処理を実行し、
ネットワークを介して外部装置と通信し、
前記通信部を介して前記外部装置に記憶された出力情報を取得し、
前記起動部による起動処理が完了する前に、取得した前記出力情報を出力部に出力する、
ように構成されている、車両用情報出力装置。
【００８８】
以上、本発明を実施するための形態について実施形態を用いて説明したが、本発明はこうした実施形態に何等限定されるものではなく、本発明の要旨を逸脱しない範囲内において種々の変形及び置換を加えることができる。例えば、上記実施形態では、選択部は、車両用情報出力装置に設けられている場合を例示したが、サーバ側に設けられていてもよい。
【符号の説明】
【００８９】
１‥車両用情報出力システム、１０‥車両、１００‥車両用情報出力装置、１００−１‥通信コントローラ、１００−２‥ＣＰＵ、１００−３‥ＲＡＭ、１００−４‥ＲＯＭ、１００−５‥記憶装置、１００−５ａ‥プログラム、１００−６‥ドライブ装置、１０４‥起動部、１０８‥選択部、１１０‥出力部、１２０‥通信部、１３０‥制御部、１３２‥電力制御部、１３４‥通信制御部、１３６‥出力制御部、１５０‥記憶部、２００‥サーバ、２０２‥通信制御部、２０４‥通信部、２０６‥記憶部、３００‥端末装置、ＩＭ１、ＩＭ２、ＩＭ３、Ｋ‥設定情報、ＮＷ‥ネットワーク、Ｑ１‥設定画面
【図１】
2019184371.tif 000003
【図２】
2019184371.tif 000004
【図３】
2019184371.tif 000005
【図４】
2019184371.tif 000006
【図５】
2019184371.tif 000007
【図６】
2019184371.tif 000008
【図７】
2019184371.tif 000009
【図８】
2019184371.tif 000010